(57)【特許請求の範囲】
【請求項１】
複数のセルに着色されて形成されたセルドットの分布パターンにより情報を表現する二次元コードと視覚によりキャラクターを表現するロゴマークを重ね合わせ、
前記複数のセルは三以上の色彩に別れて着色されており、その内の一つを基準着色とし、前記基準着色のセルドットが情報パターンを表示するようになっており、
前記基準着色以外の色彩に塗られたセルに隣接する基準着色に塗られたセルにシャドウを設けたことを特徴とするロゴ付き二次元コード。
【請求項２】
前記ロゴマークのキャラクターの境界にアウトラインを設けたことを特徴とする請求項１記載のロゴ付き二次元コード。
【請求項３】
前記アウトラインが通過するセルは前記アウトラインの境界を境に塗り分けられていることを特徴とする請求項２記載のロゴ付き二次元コード。
【請求項４】
情報パターンを形成するセルドットは、透明な赤外線吸収インキによって印刷されていることを特徴とする請求項１から３記載のいずれかのロゴ付き二次元コード。
【請求項５】
前記キャラクターは文字部分、図形部分及び背景部分を備え、文字部分と図形部分が重なり合っている場合、前記文字部分と背景部分のセルドットのみを前記赤外線インキで印刷したことを特徴とする請求項４記載のロゴ付き二次元コード。
【請求項６】
前記キャラクターは文字部分、図形部分及び背景部分を備え、文字部分と図形部分が重なり合っている場合、前記図形部分のセルドットのみを前記赤外線インキで印刷したことを特徴とする請求項４記載のロゴ付き二次元コード。
【発明の詳細な説明】
【技術分野】
【０００１】
本発明はロゴ付き二次元コード、さらに詳細には、会社、団体などを表示するためのロゴマークに二次元コードを付加したロゴ付き二次元コードに関する。
【背景技術】
【０００２】
二次元コードは、図６に一例を示すように、特定比率の正方形を組み合わせた３つの位置決めシンボル１ａ、１ｂおよび１ｃを有し、この位置決めシンボル１ａ、１ｂおよび１ｃ間に、正方形の複数のセル２を有しており、前記セル２を白と黒とに塗り分ける（以下、塗り分けられたものをセルドットという）ことによって、情報を記録するものである（たとえば特開平１０−２０８００１号参照）。このような二次元コード１は、バーコードに比較して多くの情報を記録できることから、頻繁に使用されるようになっている。
【０００３】
上述の二次元コードは、たとえば携帯電話に備えられた読み取り装置によって読み取ることができ、これによって、たとえば会社などの団体のＵＲＬ等の情報を取得できるようになっている。
【０００４】
しかしながら、基本的にこのような二次元コードは、白と黒の組み合わせであり、パンフレットなどに表示されていても、人間には理解できない情報であり、前記二次元コードを見ただけでは、どのような会社あるいは団体であるのか理解できない。したがって、パンフレットなどに表示されている場合には、パンフレットのデザインなどを損ない、また、単に視覚として見る人にとっては、煩わしい存在であるという欠点がある。
【０００５】
最近になって、上述のようなセル２の分布パターンによって情報を表現する二次元コードにおいて、赤緑青の３色によって、色彩が表現され、かつ前記色彩でセルを塗り分けることにより、分布パターンを形成する方法も開示されている（特開２０００−１２３１３２号公報）。
【０００６】
一方、図７に示すようなロゴマーク３は、それ自体、会社、団体を暗示するマークとして使用されており、デザイン化されたものが多く、視覚的に良好な印象を与えるものである。したがって、視認により、多くの人はどの会社か、団体か瞬時に認識できるという利点があるが、一方においてはデジタル的な情報は内包していない。
【特許文献１】特開平１０−２０８００１号公報
【特許文献２】特開２０００−１２３１３２号公報
【発明の開示】
【発明が解決しようとする課題】
【０００７】
本発明は上述の課題に鑑みなされたものであり、セルの分布パターンによって情報を表現する二次元コードと、ロゴマークを組み合わせることによって、デジタル情報と視覚情報を同時に表現可能なロゴ付き二次元マークを提供することを課題とする。
【課題を解決するための手段】
【０００８】
上記課題を解決するため、本発明によるロゴ付き二次元コードは、セルの分布パターンにより情報を表現する二次元コードと視覚によりキャラクターを表現するロゴマークを重ね合わせ、前記複数のセルは三以上の色彩に別れて着色されており、その内の一つを基準着色とし、前記基準着色のセルドットが情報パターンを表示するようになっており、前記基準着色以外の色彩に塗られたセルに隣接する基準着色に塗られたセルにシャドウを設けたことを特徴とする。
【発明の効果】
【０００９】
本発明によれば、セルの分布パターンにより情報を表現する二次元コードと視覚により情報を表現するロゴマークを重ね合わせ、二次元コードを作製したため、デジタル情報を読み取り装置などによって読み取り可能であり、かつ視覚的にロゴマークを認識可能であるので、視覚情報も認知可能であるという利点がある。
【発明を実施するための最良の形態】
【００１０】
本発明による好ましい態様においては、前記ロゴマークのキャラクターの境界にアウトラインを設けたことを特徴とする。好ましい態様においては、前記アウトラインが通過するセルは前記アウトラインの境界を境に塗り分けられていることを特徴とする。
【００１１】
さらに好ましい態様では、情報パターンを形成する複数のセルは三以上の色彩に着色されており、その内の一つを基準着色とし、前記基準着色のセルドットが情報パターンを表示するようになっていることを特徴とする。このような態様において、好ましくは情報パターンを示す基準着色は白色であることを特徴とする。
【００１２】
本発明による他の態様において、前記基準着色以外の色彩に塗られたセルに隣接する基準色彩に塗られたセルにシャドウを設けたことを特徴とする。
【００１３】
本発明による好ましい態様において、情報パターンを形成するセルドットは、透明な赤外線吸収インキによって印刷されていることを特徴とする。このような態様において、前記キャラクターは文字部分、図形部分及び背景部分を備え、文字部分と図形部分が重なり合っている場合、前記文字部分及び背景部分のセルドットのみを前記赤外線インキで印刷したことを特徴とする。またこのような他の態様においては、文字部分のみを前記赤外線インキで形成したことを特徴とする。
【実施例】
【００１４】
図１は、本発明による一実施例の平面図であるが、この図１より明らかなように、たとえばロゴマーク３の団体名などを表すキャラクターＣは白抜きの円形部分（図形部分）３１とその円形部分に表示された文字部分（この実施例ではＭ）３２を有しており、このロゴマーク３に、情報パターンが形成された二次元コード１が重ね合わされている（二次元コードは一部のみ表示）。この実施例においては、ロゴマーク３は、文字部分３２および円形部分３１の外側の背景部分３３は同色（太斜線で示す）になっており、円形部分３１は白抜きになっている。そして、二次元コード３のセル２は黒色（細斜線で示す）および透明になっており、二次元コードの情報パターンは三色で表示されるようになっている。
【００１５】
上述のような実施例においては、文字部分３２及び円形部分３１の境界が二次元コードのセル２の彩色（黒；基準着色）で侵食され、ロゴマーク３が視認しにくくなるという欠点がある。
【００１６】
図２（ａ）は、本発明による第２の実施例であるが、この図より明らかなように、この実施例においては、ロゴマーク３の少なくともキャラクターＣの境界に沿ってアウトラインが設けられている。すなわち、円形部分３１の境界部分及び文字部分３２の境界部分に沿ってアウトライン３４、３５が設けられており、前記円形部分３１及び文字部分３２よりなるキャラクターＣが浮き上がるようになっている。これによって、目視による視認性が向上する。
【００１７】
この実施例においては、白色部分が、上述の第１の実施例における黒色部分を表すようになっており、前記白色部分（基準着色）によって情報パターンを表すようになっている。この場合、前記複数のセルは三以上の色彩に別れて着色されており、その内の一つを基準着色とし、前記基準着色のセルドットが情報パターンを表示するようになっている。すなわち白色部分（基準着色）と他の色彩部分によって、二進的に情報は記録されている。
【００１８】
前述のアウトラインによって情報パターンは乱されることになるが、このような二次元コードにおいては、約３０％の欠損があっても、読み取り可能であるため（特開平１０−２０８００１号公報参照）、読み取り装置による二次元コードの読み取りに支障はない。さらに、図２（ｂ）に示されるように、セル２がアウトライン３４または３５を境に別の色彩で塗り分けられても、基準の白色部分（基準着色）によって情報パターンを表すようになっているので、デジタル情報を有効に読み取ることが可能である。
【００１９】
本発明による好ましい態様においては、図３に示すように、白色以外の色彩にシャドウ３６を設けることが可能である。すなわち前記基準着色以外の色彩に塗られたセルに隣接する基準着色に塗られたセルにシャドウを設けることができる。このようなシャドウ３６を設けることにより、前記白色以外のセル２のセルドットと白色のセル２のセルドットとのコントラストを大きくすることができ、読み取り装置の読み取りを容易にすることができる。
【００２０】
図４は本発明による第３の実施例の平面図であるが、この図より明らかなように、円形部分３１の文字部分３２を除いた部分には、セルドットが視認できないようになっている。この部分のセル２は赤外線吸収インキ（特開平６−１０７９８５号参照）によって塗り分けられており、セルドットを形成するようになっている。前記赤外線吸収インキは透明であるため、文字部分３２及び背景部分３３を除いて、セルドットは視認できない。このような赤外線吸収インキを使用することによって、前記円形部分３１の文字部分３２を除いた部分のセルドットの目視は困難になる。しかしながら、携帯電話などに備えられた赤外線読み取り装置によって読み取り可能であり、容易にデジタル情報を取得可能である。
【００２１】
図５は、前記第３の実施例の一態様の平面図であるが、この実施例によれば、文字部分３２及び背景部分３３に前述の赤外線吸収インキでセルドットが印刷されており、前記円形部分３１の文字部分３２を除いた部分は同一色に着色されて（この場合、白色のときは背景部分は示されないこともある）白色でセルドットが形成された構造になっている。
【００２２】
以上説明したように本発明によるロゴ付き二次元コードによれば、ロゴに対する良好な視認性と情報パターンの読み取りを容易に行うことができる。特に、上述のロゴ付き二次元コードの再度部分に「コード付き」等の文字を入れておけば、見る人に容易に二次元コードが隠れていることがわかり、実用的である。  
【産業上の利用可能性】
【００２３】
本発明によれば、セルの分布パターンにより情報を表現する二次元コードと視覚により情報を表現するロゴマークを重ね合わせ、二次元コードを作製したため、デジタル情報を読み取り装置などによって読み取り可能であり、かつ視覚的にロゴマークを認識可能であるので、視覚情報も認知可能であるという利点がある。
【図面の簡単な説明】
【００２４】
【図１】本発明の一実施例の平面図。
【図２】本発明の他の実施例の平面図およびセルの状態を示す模式図。
【図３】本発明のセルのシャドウ部分の模式図。
【図４】本発明の他の実施例の平面図。
【図５】本発明の他の実施例の平面図。
【図６】二次元コードの平面図。
【図７】ロゴマークの平面図。
【符号の説明】
【００２５】
１      二次元コード
２      セル
３      ロゴマーク
３１    円形部分
３２    文字部分
３３    背景部分
【図１】
0004781892.tif 000002
【図２】
0004781892.tif 000003
【図３】
0004781892.tif 000004
【図４】
0004781892.tif 000005
【図５】
0004781892.tif 000006
【図６】
0004781892.tif 000007
【図７】
0004781892.tif 000008